(57)【要約】【課題】バックライトシャーシを使用することなく、光源を所定位置に安定に支持し、小型化及び軽量化を図ることができる表示装置を提供する。【解決手段】後キャビネット３の所定位置に固定板を設けて、該固定板にソケットを固定し、該ソケットに蛍光管５を接続して、バックライトシャーシを削減し、表示装置の小型化及び軽量化を図ることができる構成とした。また従来後キャビネット３に収容していた制御基板２０を、スタンド内に収容することで、表示装置の薄型化を図ることができる構成とした。【選択図】図２
2010276856.tif 000002
【特許請求の範囲】
【請求項１】
映像を表示する表示パネルの周囲に配置される枠形の前キャビネットと、該前キャビネットの後側に配置され、前キャビネットに対向する箱形の後キャビネットと、該後キャビネットに収容され、前記表示パネルへ光を照射する光源とを備える表示装置において、
前記後キャビネットにて前記光源を支持してあること
を特徴とする表示装置。
【請求項２】
前記前キャビネットと前記後キャビネットとによって前記表示パネルを挟持してあることを特徴とする請求項１に記載の表示装置。
【請求項３】
前記光源から照射された光を拡散する拡散板を備え、
該拡散板を支持する支持部を前記後キャビネットの縁部分に形成してあること
を特徴とする請求項１又は２に記載の表示装置。
【請求項４】
前記前キャビネット及び後キャビネットの下部に箱形のスタンドを設けてあり、
該スタンド内に前記光源又は表示パネルの駆動を制御する制御基板が設けてあること
を特徴とする請求項１から３のいずれか一つに記載の表示装置。
【請求項５】
前記後キャビネットの後面に凹部が形成してあり、
該凹部に前記光源又は表示パネルの駆動を制御する制御基板が設けてあること
を特徴とする請求項１から３のいずれか一つに記載の表示装置。
【請求項６】
前記凹部を覆う蓋体を備えることを特徴とする請求項５に記載の表示装置。
【請求項７】
前記蓋体に端子を挿入する端子孔が設けてあることを特徴とする請求項６に記載の表示装置。
【請求項８】
前記後キャビネットを壁に取り付ける取付部材をねじ止めするためのねじ孔が前記凹部内に設けてあり、
前記取付部材を挿通する挿通穴が前記蓋体に設けてあること
を特徴とする請求項６又は７に記載の表示装置。
【請求項９】
前記後キャビネットを壁に取り付ける取付部材をねじ止めするためのねじ孔が前記凹部の周囲に設けてあること
を特徴とする請求項５から７のいずれか一つに記載の表示装置。
【請求項１０】
前記前キャビネット及び後キャビネットの下部に着脱可能なスタンドを設けてあること
を特徴とする請求項５から９のいずれか一つに記載の表示装置。
【請求項１１】
前記光源は、パネルの一面にＬＥＤを植設したＬＥＤパネルであり、
該ＬＥＤパネルを前記後キャビネットに取り付けてあること
を特徴とする請求項１から１０のいずれか一つに記載の表示装置。
【請求項１２】
前記光源は蛍光管であり、
該蛍光管を接続するソケットを備え、
該ソケットを固定する固定部を前記後キャビネットに設けてあること
を特徴とする請求項１から１０のいずれか一つに記載の表示装置。
【発明の詳細な説明】
【技術分野】
【０００１】
本発明は映像を表示する表示装置に関する。
【背景技術】
【０００２】
表示画面の大きさに比べて室内の占有面積が小さい液晶表示装置は、限られた室内空間を有効に利用することができることから、一般に広く普及している。液晶表示装置は、前キャビネットの内側に配置された映像を表示する液晶表示パネルに、後キャビネットに収容してある光源から光を照射して、映像を表示するように構成されており、液晶表示パネルにムラなく光が照射されるように、前記後キャビネット内にバックライトシャーシを設け、該バックライトシャーシの所定位置に前記光源を安定に支持してある（例えば特許文献１参照）。
【先行技術文献】
【特許文献】
【０００３】
【特許文献１】特開２００８−２７５８２４号公報
【発明の概要】
【発明が解決しようとする課題】
【０００４】
しかしバックライトシャーシは大型且つ大重量であり、液晶表示装置を壁に取り付ける場合に、作業者の負担が大きいという問題があった。またバックライトシャーシを収容する空間を後キャビネット内に確保する必要があり、バックライトシャーシによって液晶表示装置の小型化が妨げられていた。
【０００５】
本発明は斯かる事情に鑑みてなされたものであり、バックライトシャーシを使用することなく、光源を所定位置に安定に支持し、小型化及び軽量化を図ることができる表示装置を提供することを目的とする。
【課題を解決するための手段】
【０００６】
本発明に係る表示装置は、映像を表示する表示パネルの周囲に配置される枠形の前キャビネットと、該前キャビネットの後側に配置され、前キャビネットに対向する箱形の後キャビネットと、該後キャビネットに収容され、前記表示パネルへ光を照射する光源とを備える表示装置において、前記後キャビネットにて前記光源を支持してあることを特徴とする。
【０００７】
本発明においては、後キャビネットの所定位置に光源を支持して、バックライトシャーシを削減し、表示装置の小型化及び軽量化を図る。
【０００８】
本発明に係る表示装置は、前記前キャビネットと前記後キャビネットとによって前記表示パネルを挟持してあることを特徴とする。
【０００９】
本発明においては、前キャビネットを表示パネルに押圧して、表示パネルを挟持し、従来表示パネルを支持するために使用していたベゼルを削減し、表示装置の小型化及び軽量化を図る。
【００１０】
本発明に係る表示装置は、前記光源から照射された光を拡散する拡散板を備え、該拡散板を支持する支持部を前記後キャビネットの縁部分に形成してあることを特徴とする。
【００１１】
本発明においては、拡散板を支持する支持部を後キャビネットに形成し、従来拡散板を支持するために使用していたシャーシを削減し、表示装置の小型化及び軽量化を図る。また後キャビネットに支持部を一体成形することによって、後キャビネットに対して支持部が偏倚することがなく、拡散板の位置ズレを防ぐことができる。
【００１２】
本発明に係る表示装置は、前記前キャビネット及び後キャビネットの下部に箱形のスタンドを設けてあり、該スタンド内に前記光源又は表示パネルの駆動を制御する制御基板が設けてあることを特徴とする。
【００１３】
本発明においては、従来後キャビネットに収容していた制御基板を、スタンド内に収容することで、表示装置の薄型化を図ることができる。
【００１４】
本発明に係る表示装置は、前記後キャビネットの後面に凹部が形成してあり、該凹部に前記光源又は表示パネルの駆動を制御する制御基板が設けてあることを特徴とする。
【００１５】
本発明においては、前記後キャビネットの後面に形成した凹部に制御基板を収容することによって、後キャビネットを取り外すことなく、制御基板の保守及び交換を迅速に行うことができる。
【００１６】
本発明に係る表示装置は、前記凹部を覆う蓋体を備えることを特徴とする。
【００１７】
本発明においては、蓋体によって凹部を覆い、表示装置の外観意匠性を向上させることができる。
【００１８】
本発明に係る表示装置は、前記蓋体に端子を挿入する端子孔が設けてあることを特徴とする。
【００１９】
本発明においては、前記端子孔に端子を挿入して、蓋体を取り外すことなく、前記凹部に収容された制御基板と外部機器とを端子を介して接続する。また適用される表示装置の端子の仕様に応じて、蓋体に設けた挿入孔の形状を変更し、異なる端子の仕様に対応させて表示装置を製造することができる。そのため表示装置の生産性が向上する。
【００２０】
本発明に係る表示装置は、前記後キャビネットを壁に取り付ける取付部材をねじ止めするためのねじ孔が前記凹部内に設けてあり、前記取付部材を挿通する挿通穴が前記蓋体に設けてあることを特徴とする。
【００２１】
本発明においては、取付部材を前記凹部内にねじ止めすることによって、表示装置を壁に取り付けた場合に表示装置が壁から大きく離隔することを抑制し、表示装置が室内空間に占める割合を最小限に抑える。
【００２２】
本発明に係る表示装置は、前記後キャビネットを壁に取り付ける取付部材をねじ止めするためのねじ孔が前記凹部の周囲に設けてあることを特徴とする。
【００２３】
本発明においては、取付部材を凹部の周囲、例えば後キャビネットの後面の縁付近に設けることによって、前記縁付近は後キャビネットの中央部に比べて高剛性であるので、取付部材を後キャビネットに強固に固定することができる。
【００２４】
本発明に係る表示装置は、前記前キャビネット及び後キャビネットの下部に着脱可能なスタンドを設けてあることを特徴とする。
【００２５】
本発明においては、表示装置を壁に取り付ける場合に、前キャビネット及び後キャビネットからスタンドを迅速に取り外して、表示装置を短時間で壁に取り付けることができる。
【００２６】
本発明に係る表示装置は、前記光源は、パネルの一面にＬＥＤを植設したＬＥＤパネルであり、該ＬＥＤパネルを前記後キャビネットに取り付けてあることを特徴とする。
【００２７】
本発明においては、ＬＥＤパネルを使用することによって発熱量を抑制し、ＬＥＤパネルを後キャビネットに取り付けて、簡素な構成にてＬＥＤパネルを後キャビネットの所定位置に支持する。
【００２８】
本発明に係る表示装置は、前記光源は蛍光管であり、該蛍光管を接続するソケットを備え、該ソケットを固定する固定部を前記後キャビネットに設けてあることを特徴とする。
【００２９】
本発明においては、固定部を後キャビネットの所定位置に設けることによって、蛍光管を後キャビネットの所定位置にて支持する。
【発明の効果】
【００３０】
本発明に係る表示装置にあっては、後キャビネットの所定位置に光源を支持して、バックライトシャーシを削減し、表示装置の小型化及び軽量化を図ることができる。
【図面の簡単な説明】
【００３１】
【図１】実施の形態１に係る表示装置を略示する斜視図である。
【図２】図１のＩＩ−ＩＩ線における略示側面断面図である。
【図３】後キャビネットを前側から見た略示斜視図である。
【図４】実施の形態１に係る表示装置の変形例１を略示する側面断面図である。
【図５】実施の形態１に係る表示装置の変形例２を略示する側面断面図である。
【図６】実施の形態２に係る表示装置を略示する側面断面図である。
【図７】後キャビネットに対する取付部材及び蓋体の取付けを説明する分解斜視図である。
【図８】実施の形態２に係る表示装置の変形例を略示する後キャビネットに対する取付部材の取付けを説明する分解斜視図である。
【発明を実施するための形態】
【００３２】
（実施の形態１）
以下本発明を実施の形態１に係る表示装置を示す図面に基づいて詳述する。図１は実施の形態１に係る表示装置を略示する斜視図、図２は図１のＩＩ−ＩＩ線における略示側面断面図、図３は後キャビネットを前側から見た略示斜視図である。
【００３３】
図において１は、液晶を備える矩形の表示パネルであり、該表示パネル１は、液晶への印加電圧を制御して光の透過率を調整し、映像を表示するように構成されている。表示パネル１の周囲には矩形枠形の前キャビネット２が設けてあり、該前キャビネット２の開口の寸法は表示パネル１に対応した寸法となっている。前キャビネット２の下部正面には、後述するスピーカ１０の音を放出するための放音孔２ａ、２ａが左右に設けてある。前キャビネット２の下端部には、前側に突出した箱形の前スタンド部２ｂを前キャビネット２と一体に設けてあり、該前スタンド部２ｂの後部は開放されている。前スタンド部２ｂの上面には後述するスイッチ２１を挿入するための複数の孔が設けてある。なお前スタンド部２ｂは後述する後スタンド部３ｂと共に表示装置を支持するスタンドとなっている。
【００３４】
前キャビネット２の後側には、前側が開放してある矩形箱形の後キャビネット３が設けてあり、該後キャビネット３の縁部分は前キャビネット２に対向している。後キャビネット３には光源としての蛍光管５を収容してある。なお前キャビネット２は縁部分に爪部（図示せず）を備え、後キャビネット３は該爪部に対応する係合凹部（図示せず）を備えており、爪部と係合凹部とを係合させてある。
【００３５】
後キャビネット３の下端部には、後側に突出した箱形の後スタンド部３ｂを後キャビネット３と一体に設けてある。該後スタンド部３ｂの前部は開放されている。後スタンド部３ｂの前部の縁部分と前スタンド部２ｂの後部の縁部分とは対向している。後スタンド部３ｂの後部には後述する端子２１を挿入するための前後に貫通した端子孔３ｃが設けてある。
【００３６】
後キャビネット３は、図２に示すように、後キャビネット３の後部の一部を前側に突出させて形成した左右方向に沿う支持部３ａ、３ａが上下に並設してある。該支持部３ａの前部は前後方向に垂直な平面をなし、該平面に後述する拡散板６を載置するようにしてある。
【００３７】
後キャビネット３の前面には、蛍光管５の光を反射する反射シート４が前記支持部３ａ、３ａ間に亘って設けてある。該反射シート４の上下端部は支持部３ａの平面に位置している。支持部３ａの平面には、光をムラなく拡散させる拡散板６が反射シート４を介して載置してある。該拡散板６の前面には、拡散板６によって拡散した光を表示パネル１へ向けて集光する光学シート７が設けてある。該光学シート７の四隅はそれぞれシート押え片８によって拡散板６に係止してある。なお前記蛍光管５は、拡散板６と後キャビネット３との間であって、支持部３ａ、３ａ間に位置している。
【００３８】
前記光学シート７の前側には表示パネル１が配置してある。該表示パネル１の四隅は四つのパネル押え片９によって拡散板６に係止してある。前キャビネット２はパネル押え片９を介して表示パネル１を押圧しており、該押圧によって表示パネル１及び拡散板６は、前キャビネット２及び後キャビネット３との間で挟持されている。
【００３９】
前キャビネット２及び後キャビネット３の下部の左右に、スピーカ１０をそれぞれ収容してある。図２に示すように、スピーカ１０の上下には、後キャビネット３に連なるスピーカ支持部３ｄ、３ｄが設けてある。スピーカ支持部３ｄ、３ｄにスピーカ１０をねじ止めして固定してある。スピーカ１０は前記放音孔２ａに対応した位置に配してあり、スピーカ１０の音は放音孔２ａを介して外部に放出される。
【００４０】
前キャビネット２及び後キャビネット３の下端部には前述したように、前スタンド部２ｂ及び後スタンド部３ｂが設けてある。前スタンド部２ｂ及び後スタンド部３ｂの内側に、蛍光管５及び表示パネル１の駆動を制御する制御基板２０が収容してある。該制御基板２０にはユーザの操作を受け付ける複数のスイッチ２１と、外部機器との接続を行う端子２１とが実装してある。スイッチ２１は前記前スタンド部２ｂの上面に設けてある孔から突出している。端子２１は後スタンド部３ｂの後部に設けてある前記端子孔３ｃに挿入してある。なお制御基板２０と表示パネル１とは図示しない電線を介して接続してある。
【００４１】
前記後キャビネット３の支持部３ａ同士の間には、図３に示すように、前側に突出した左右方向に垂直な固定板３ｅ、３ｅが左右に並設してある。該固定板３ｅは後キャビネット３と一体に形成されている。該固定板３ｅの互いに対向する部分には凹部（図示せず）が形成してあり、該凹部にソケット１５が嵌合してある。該ソケット１５には蛍光管５を接続してある。なおソケット１５と制御基板２０とは図示しない電線を介して接続してある。
【００４２】
実施の形態１に係る表示装置にあっては、後キャビネット３の所定位置に蛍光管５を支持して、バックライトシャーシを削減し、表示装置の小型化及び軽量化を図ることができる。
【００４３】
また前キャビネット２を表示パネル１に押圧して、表示パネル１を挟持し、従来表示パネル１を支持するために使用していたベゼルを削減し、表示装置の小型化及び軽量化を図ることができる。
【００４４】
また拡散板６を支持する支持部３ａを後キャビネット３に形成し、従来拡散板６を支持するために使用していたシャーシを削減し、表示装置の小型化及び軽量化を図ることができる。また後キャビネット３に支持部３ａを一体成形することによって、後キャビネット３に対して支持部３ａが偏倚することがなく、拡散板６の位置ズレを防ぐことができる。
【００４５】
また従来後キャビネット３に収容していた制御基板２０を、スタンド内に収容することで、表示装置の薄型化を図ることができる。
【００４６】
また固定板３ｅを後キャビネット３の所定位置に設けることによって、蛍光管５を後キャビネット３の所定位置にて支持することができる。
【００４７】
またシート押え片８及びパネル押え片９によって、後キャビネット３、蛍光管５、拡散板６及び表示パネル１を予め一つのモジュールにすることができる。そのため該モジュールを予め組立てておき、表示装置に適用される仕様に合わせた前キャビネット２を前記モジュールに取り付けることで、表示装置を効率よく製造することができる。
【００４８】
図４は実施の形態１に係る表示装置の変形例１を略示する側面断面図である。
変形例１においては、図に示すように、後キャビネット３の後部に、正面側に突出した複数の支持リブ３０、３０、・・・、３０が後キャビネット３の上縁及び下縁に沿って並設してある。該支持リブ３０の前部は前後方向に垂直な面に平行であり、支持リブ３０の前部にて拡散板６を支持している。支持リブ３０、３０、・・・、３０には、左右方向に沿う上下方向に垂直な補強板３１が連なっている。該補強板３１によって支持リブ３０の強度を向上させている。
【００４９】
図５は実施の形態１に係る表示装置の変形例２を略示する側面断面図である。
変形例２においては、後キャビネット３の後部の内側に、光源としての複数のＬＥＤパネル５０、５０、・・・、５０が固定してある。ＬＥＤパネル５０は、パネル５１と、該パネル５１の前面に植設された複数のＬＥＤ５２とを備える。ＬＥＤパネル５０と後キャビネット３の後部とは前側からねじ５３、５３を螺入して連結してある。なおねじ５３の頭部は、パネル５１の前面に形成した凹部（図示せず）に収まっており、パネル５１よりも前側に突出していない。
ＬＥＤパネル５０の前側に反射シート４が設けてあり、該反射シート４には孔が設けてある。該孔には、図５に示すように、ＬＥＤ５２が挿入されている。
【００５０】
変形例２においては、ＬＥＤパネル５０を光源として使用することで発熱量を抑制することができる。またＬＥＤパネル５０を後キャビネット３にねじ止めし、簡素な構成にてＬＥＤパネル５０を後キャビネット３の所定位置に支持することができる。
【００５１】
なお実施の形態１及びその変形例にあっては、前スタンド部２ｂ及び後スタンド部３ｂを前キャビネット２及び後キャビネット３と一体に形成してあるが、前スタンド部２ｂ及び後スタンド部３ｂに相当する別体のスタンドを、前キャビネット２及び後キャビネット３の下端部に取り付ける構成であっても良い。
【００５２】
（実施の形態２）
図６は実施の形態２に係る表示装置を略示する側面断面図、図７は後キャビネットに対する取付部材及び蓋体の取付けを説明する分解斜視図である。
後キャビネット３の後部の縁部分は肉厚に形成してある。後キャビネット３の後面の中央部分には前側に窪んだ凹部３０が形成されている。該凹部３０の上下縁には、図６に示すように、矩形の蓋体６０を載置する側面視Ｌ状の溝部３１、３１がそれぞれ形成してある。なお溝部３１、３１間の上下寸法は蓋体６０の上下寸法と略同じである。また前記溝部３１の前後寸法は前記蓋体６０の前後寸法と略同じであり、前記蓋体６０を前記溝部３１に載置した場合に、蓋体６０は後キャビネット３よりも後側に突出しない。また凹部３０の左右縁部間の寸法は蓋体６０の左右寸法と略同じである。
【００５３】
蓋体６０の四隅には前後に貫通した貫通孔６１がそれぞれ設けてあり、該貫通孔６１に後側からねじ６２を挿通し、溝部３１に螺合させて、蓋体６０を後キャビネット３に固定するようにしてある。なお貫通孔６１の後側は拡径しており、ねじ６２の頭部は貫通孔６１に収容され、後方に突出しない。
【００５４】
前記凹部３０の底面の上下縁部にそって、前記支持部３ａ、３ａがそれぞれ形成してある。前記凹部３０の底面には、表示パネル１の駆動を制御するパネル制御基板７０がねじ７２によって固定してある。パネル制御基板７０は外部機器との接続を行う複数の端子７１を備えている。また凹部３０の底面には、パネル制御基板７０の隣に、蛍光管５の駆動を制御するインバータ制御基板８０がねじ８１によって固定してある。図７に示すように、凹部３０の底面の左右縁部付近に、前後に貫通した矩形の挿入穴３３、３３（固定部）がそれぞれ設けてある。該挿入穴３３には後側からソケット８２が嵌入している。該ソケット８２は後キャビネット３の前側に突出しており、両ソケット８２に蛍光管５を接続してある。ソケット８２、８２は電線を介してインバータ制御基板８０に接続してある。
【００５５】
前記後キャビネット３の下面には、下側が開放された箱形のスタンド４０が固定してある。該スタンド４０の上面と後キャビネット３の下面とは、スタンド４０の内側から挿入したねじ４２によって螺結されている。なおスタンド４０の内部には複数の補強板４１が設けてあり、該補強板４１によってスタンド４０の強度を向上させてある。
【００５６】
凹部３０の底面の上下部分には、表示装置を壁に取り付ける場合に使用する取付部材９０、９０を後キャビネット３に固定するための複数のねじ孔３２が設けてある。
取付部材９０は上下に細長い板状をなし、図７に示すように、上（下）部分が前側に屈曲しており、該屈曲した部分の先端がそれぞれ上（下）方向へ更に屈曲している。取付部材９０の屈曲した両端部には、前後に貫通した貫通孔９１が設けてある。また取付部材９０の中途部には、表示装置を壁に固着させるための後方へ突出した筒形のボス部９２、９２が上下に並設してある。
【００５７】
前記蓋体６０には前記ボス部９２が挿通する複数の挿通穴６４が設けてあり、またパネル制御基板７０の端子７１が挿入される複数の端子孔６３が設けてある。蓋体６０を溝部３１に取り付けた場合に、端子孔６３に端子７１が挿入される。
【００５８】
次に表示装置の壁への取付について説明する。表示装置を壁に取り付ける場合には、まずスタンド４０を後キャビネット３から取り外す。そして蓋体６０を後キャビネット３から取り外し、取付部材９０の貫通孔９１にねじ９３を挿入し、挿入したねじ９３を凹部３０のねじ孔３２に螺合させて、取付部材９０、９０を後キャビネット３に固定する。次に蓋体６０を前記凹部３０に取り付けてねじ止めし、前記ボス部９２を挿通穴６４から後方へ突出させる。そして突出したボス部９２を、予め壁に設けてある金具に取り付ける。
【００５９】
実施の形態２に係る表示装置にあっては、後キャビネット３の後面に形成した凹部３０にパネル制御基板７０及びインバータ制御基板８０を収容することによって、後キャビネット３を取り外すことなく、パネル制御基板７０及びインバータ制御基板８０の保守及び交換を迅速に行うことができる。
【００６０】
また蓋体６０によって凹部３０を覆い、表示装置の外観意匠性を向上させることができる。
【００６１】
また前記端子孔６３に外部機器の端子を挿入して、蓋体６０を取り外すことなく、前記凹部３０に収容されたパネル制御基板７０と外部機器とを端子７１を介して接続する。また適用される表示装置の端子の仕様に応じて、蓋体６０に設けた挿入穴３３の形状を変更し、異なる端子の仕様に対応させて表示装置を製造することができる。そのため表示装置の生産性が向上する。
【００６２】
また取付部材９０を前記凹部３０内にねじ止めすることによって、表示装置を壁に取り付けた場合に表示装置が壁から大きく離隔することを抑制し、表示装置の室内空間に占める割合を最小限に抑えることができる。
【００６３】
また表示装置を壁に取り付ける場合に、後キャビネット３からスタンド４０を迅速に取り外して、表示装置を短時間で壁に取り付けることができる。
【００６４】
またソケット８２を嵌入するための挿入穴３３（固定部）を後キャビネット３の所定位置に設けることによって、蛍光管５を後キャビネット３の所定位置にて支持する。
【００６５】
なお実施の形態２に係る表示装置にあっては、単数の蛍光管５を使用しているが、複数の蛍光管５を使用しても良い。また実施の形態２に係る表示装置は、光源として蛍光管５を使用しているが、蛍光管５に代えてＬＥＤパネルを使用しても良い。また実施の形態２に係る表示装置はスタンド４０を後キャビネット３に固定しているが、前キャビネット２に固定しても良い。
【００６６】
図８は実施の形態２に係る表示装置の変形例を略示する後キャビネットに対する取付部材の取付けを説明する分解斜視図である。
変形例においては、蓋体６０の上側及び下側、すなわち凹部３０の上側及び下側にて、取付部材１００をねじ止めするための複数のねじ孔３ｆが後キャビネット３の縁付近に設けてある。変形例における取付部材１００は矩形の板状をなし、取付部材１００の四隅は、図８に示すように、それぞれ上又は下方向に延出している。前記四隅の延出端部は、前側に屈曲しており、該屈曲した部分の先端がそれぞれ上又は下方向へ更に屈曲している。前記延出端部の先端部には、前後に貫通した貫通孔１０２が設けてある。また取付部材１００の中央部には、前側に突出した有底円筒形の複数の取付凹部１０１が設けてある。
【００６７】
変形例に係る表示装置を壁に取り付ける場合には、前記貫通孔１０２に後側からねじ１０３を挿入し、挿入したねじ１０３を、後キャビネット３の縁部分に設けた前記ねじ孔３ｆに螺合させて、取付部材１００を後キャビネット３に固定する。そして予め壁に設けてある金具に取付凹部１０１を取り付ける。
【００６８】
変形例に係る表示装置においては、取付部材１００を凹部３０の周囲、例えば後キャビネット３の後面の縁付近に固定する。前記縁付近は後キャビネット３の中央部に比べて肉厚であり、高剛性である。そのため取付部材１００は後キャビネット３に強固に固定される。
【００６９】
実施の形態２及びその変形例の構成の内、実施の形態１と同様な構成については同じ符号を付しその詳細な説明を省略する。
【符号の説明】
【００７０】
１  表示パネル
２  前キャビネット
２ｂ  前スタンド部
３  後キャビネット
３ａ  支持部
３ｂ  後スタンド部
３ｅ  固定板（固定部）
３ｆ、３２  ねじ孔
５  蛍光管
６  拡散板
１５、８２  ソケット
２０  制御基板
３０  凹部
３３  挿入穴（固定部）
４０  スタンド
５０  ＬＥＤパネル
６０  蓋体
６３  端子孔
６４  挿通穴
７０  パネル制御基板
８０  インバータ制御基板
９０、１００  取付部材
【図１】
2010276856.tif 000003
【図２】
2010276856.tif 000004
【図３】
2010276856.tif 000005
【図４】
2010276856.tif 000006
【図５】
2010276856.tif 000007
【図６】
2010276856.tif 000008
【図７】
2010276856.tif 000009
【図８】
2010276856.tif 000010